(57)【特許請求の範囲】
【請求項１】
冷間転造により形成され、樹脂にねじ込むためタッピンねじを備え、そのねじ山（３）がナイフの刃状に形成されているねじにおいて、ねじ山（３）の面（１３／１１／２３、１５／１４／２２）は、中間の１／３の位置に内側に向いた屈曲（５、１６）を備え、前記面の前記屈曲（５、１６）とねじ先端（２７）の間（１３、１５）で約３０度の外側面角度（α）を、前記面の前記屈曲（５、１６）とねじ底（７）の間（１１、１４）で内側面角度（β）をそれぞれ形成し、前記内側面角度（β）は前記外側面角度より小さくかつ前記外側面角度の１／３以上であり、前記面はねじ山の根元の範囲で前記内側面角度（β）よりも面角度を増大させて拡大部（２２、２３；２４，２５）を形成して等径のねじ底（７）に繋がり、前記拡大部が前記外側面角度（α）に対して平均して大きな面角度で形成されることを特徴とするねじ。
【請求項２】
拡大部（２２、２３）が軸方向断面において直線で構成されることを特徴とする請求項１に記載のねじ。
【請求項３】
拡大部（２４、２５）が軸方向断面において凹面に湾曲していることを特徴とする請求項１に記載のねじ。
【発明の詳細な説明】
本発明は、冷間転造により形成され、樹脂にねじ込むためのねじ山の断面がナイフの刃状に形成されている自己切削性ねじ山を備えたねじに関するものである。
この種のねじは広範に使用されている。一例としてドイツ特許公報第２７５４８７０号によるねじが参照される。この種のねじが樹脂にねじ込まれると樹脂は食込むねじ山によって排出され、そのためねじには十分な自由空間すなわちねじを収容する穴とねじの谷径の間には十分な間隔を設けなければならない。既知のねじではねじ底に狭窄部を追加して設けてこれに対処している。このことはねじ山によって排出された樹脂材料が、樹脂に食込んだねじ山の領域からねじ底の方向に戻らなければならないことを意味する。この排出された樹脂材料はこのとき排出されない樹脂材料との直接の密接な結合を失い、このため引き抜き力に寄与する能力を低下させる。引き抜き力はねじ込まれたねじを真っ直ぐに引き抜くのに必要な力である。
さらに欧州特許公報第１３３７７３号では、樹脂へねじ込むためのタッピンねじを備えたねじが記載されており、緩めトルクを増加させるため軸方向断面のねじ山面を片面は直線状にし、他の面は外側に向かう屈曲を設けている。このねじの形状によって、樹脂が排出されるときに排出される樹脂と排出されない樹脂の結合が失われるはマイナス効果とならない。さらに欧州特許公報第４７６８３１号では樹脂へねじ込むためのタッピンねじを備えた同様に非対称な形状のねじ山が記載されており、ここではねじ山の軸方向断面が片側は直線状で他の側は円弧状にねじ底に連続するように形成され、さらに円弧の部分でねじ山の面角度は常に大きくなるようにしている。これによって樹脂材料の排出は引き抜き力を高める方向に改善される。
ドイツ実用新案第７９２５４６９号が補足のために参照され、ここではねじ山が設けられた溶接ピンが開示されており、開口部のある部品が溶接ピンの上に押し付けられ、鋭い角に形成されたねじ山先端が部品の材料に食込んで部品を引き抜き力に対して固く保持するためにねじ山が利用されている。既知の溶接ピンでは、ねじ山の鋭い角はねじ山先端の側面にねじ面を鋭い角に変化させる周囲を取り巻く相を接着することによって得られる。この場合ねじ先端は特別に大きな７５度の面角度としなければならない。樹脂にねじ込むためのねじは、ねじ山の断面がナイフの刃のように形成されている場合だけねじ山の十分な食込み深さが保証されるので。既知の溶接ピンに設けられるねじ山は面角度の大きい形状のためにタッピンねじを備えた樹脂にねじ込むねじには適さない（上記のドイツ特許公報第２７５４８７０号を参照すること）。
ドイツ実用新案第７９２５４６９号の形状と類似の木材用ねじのねじ山形状は欧州特許出願第１０２６０５号に示されているが、鋭い角のねじ先端ではないので樹脂にねじ込むために適合する特性を持っていない。
本発明は冷間転造によって製作されるねじのタッピンねじを、ねじ樹脂にねじ込むときに排出される樹脂材料が特に都合よく流出できるような軸方向断面を持つねじ山に形成するという課題に基づくものである。
本発明によればねじ山の面を中間の約１／３の位置で内側に屈曲させ、外側面角度を約３０度に（屈曲点とねじ先端間）内側面角度を（屈曲点とねじ底の間）平均して外側面角度のほぼ１／３に等しいか大きくする。
ねじ山の面の内側に向う屈曲によってねじ山によって排出される樹脂材料は内側の面角度領域に排出され、この領域は内側に向かって屈曲しているために外側に向って比較的広い十分な自由空間が生じてこれが排出された樹脂材料に直接連絡し、穴の内壁が材料の滞留で詰まることなく、排出される樹脂材料は排出距離が短いので僅かに加熱されるだけで、排出されないで損傷を受けていない樹脂材料との直接の結合が維持される。従って、樹脂はその特性を十分に保持し、内側の面角度部の排出された樹脂材料は引き抜き力に対抗して作用し当該ねじ結合部の負荷能力に寄与する。
屈曲をねじ山の片側の面だけに設けることも可能であり、この場合は全ねじ山にわたって屈曲を一貫して片側に設ける。然し、屈曲はねじ山の両面に設けてもよい。屈曲を片面だけに設けるときの配置は当該ねじがねじ込まれる樹脂材料に関連する。熱に鋭敏な樹脂の場合は屈曲はねじの頭部と反対の面（裏面）に設けると好都合である。この場合は樹脂材料の変形は主として裏面に生じ、そこで変形した樹脂材料は屈曲部によって生じた空間に流れ込むので、ねじ頭部に向いた面（荷重負担面）はねじに加わる荷重を負担する加熱されない樹脂材料が十分に残されている。これに対して耐熱性の樹脂（特に強化ガラス繊維によって製作される）の場合は屈曲を荷重負担面に設けると好都合で、この場合にはねじのねじ込みで排出された樹脂材料が荷重負担面の前面の相当の範囲に蓄積されるので、その量および場合によってはその充填材による強化作用によって、ねじにより発生する荷重に特に良く耐える。
ねじ山の軸方向断面の外側の面角度は対称または非対称に形成される。対称な形状は冷間転造に必要な転造くさびの製作に便利であり、非対称な形状は特定の樹脂材質の場合に高い引き抜き力を発生させる。
内側面角度部分の面の形状は軸方向断面の面が屈曲部から直線状にまたは凹面に湾曲した形とする。この形状の選択はねじをねじ込まなければならない樹脂によって決まる。
またねじ山の内側の面角度部の形状に関しては、軸方向断面においてねじ山を対称に形成することも非対称に形成することもできる。この形状の選定もねじをねじ込まなければならない樹脂によってほぼ決まる。
ねじ山の安定性を高め、冷間転造によるねじの製作時の材料の流動を改善するため、ねじのねじ底部の内側面角度を大きくすることによって根元部分の面がねじ山根元部の広がりを超えるようにねじを形成させると好都合である。この拡大は外側面角度よりも平均して大きな面角度として形成する。拡大は軸方向断面で直線としてもよいが、拡大部の軸方向断面を凹面に湾曲した形とすることもできる。
ねじの形状、樹脂の材質およびねじをねじ込む穴の直径は互いに適合させるのが好ましく、このため前に一例を説明したような一連の形状を使用することができる。この場合ねじ込まれるねじの面の屈曲が樹脂材料で囲まれるように注意しなければならない。屈曲が穴と等しいか穴より大きい直径上にあることが好ましい。このため屈曲の位置が面のほぼ中央であると好都合である。このときねじの製作を容易にするため、排出される樹脂が流れ込むために十分な広さの自由空間が得られる限り、内側の面角度を外側面角度の半分に等しいか大きくするように選ぶ。
図１はねじ頭部１およびねじ山３を備えたねじ軸２を有する冷間転造により形成されたねじである。ねじ山３の断面については図２の説明を参照すること。図１には更に一点鎖線４で樹脂部品の穴の内壁を示している。一点鎖線４の位置から、ねじ山３は図示されていない材料にその高さの１／３以上が食込むことが分かる。このとき線４はほぼねじ山３の面の屈曲５の位置（図２を参照のこと）と交わる。然し、穴の壁の位置を示す線４はねじがねじ込まれる樹脂材料と関連して別のものを選択してもよい。
図２は軸方向断面が対称に形成されたねじ山３が示されており、面１４／１５および面１１／１３の両方に屈曲、すなわち屈曲１６と屈曲５が設けられている。屈曲５および屈曲１６は、外側面角度α（屈曲５または１６とねじ先端２７の間）および内側面角度β（屈曲５または１６とねじ底７の間）の境界を形成する。外側面角度αおよび内側面角度βはねじ山３に対称に設けられる。図２からさらにねじ山３がある部品の樹脂材料２６にどのように食込むかが分かる。このようなねじ山の食込みにより膨らみ９がねじ山面１４／１５及び１１／１３の近傍に生ずる。樹脂材料２６はこのときねじ底７の方向に排出され、ねじ山３は細いので樹脂材料２６は僅かの量が排出されるだけである。ほぼ線４の範囲にあるねじ山面１４／１５および１１／１３の屈曲によって、破線１２によって明瞭に示される両面の追加自由空間が形成される。破線１２は内側面角度βの範囲における面１３または１５の仮想延長線である。ねじ底７と膨らみ９の間にある自由空間１０は面１３または１５の屈曲すなわち小さい面角度βに対応して拡大される。
図３は図２による形状に対して変更した形状のねじ山３を示す。図３によればねじ山３は軸方向断面が非対称に形成されており、面６はねじ底７まで直線的に伸び、一方他の面８は屈曲５を持っている。
図４は図３をさらに変更したものである。図４は１つの面１８が直線状で他の面１７が屈曲を有し、図３と違って外側面角度αが非対称となっている。
図５は図４による形状を変化させたものを示している。図５によるねじ山３は内側面角度βの範囲の片側に凹面の湾曲１９を設けたものである。これを除くと図５のねじ山は図４によるねじ山と一致する。
図６のねじ山は図２によるねじ山と類似している。すなわち対称な外側面角度αの範囲および凹面の湾曲部２０のある内側面角度βの範囲に設けられている。
図７は図６の変更したものを示し、ねじ山３は内側面角度βの範囲で片側だけ凹面の湾曲２１が設けられる。内側面角度βの範囲のねじ山の反対側の面には直線状の面１４が設けられ、直線状の面に関しては図７による形状は図２による形状と同じである。
図８は図２による形状を変化させたものを示す。図８によるねじはねじの根元部に拡大部２２および２３を有し、ここでは直線状となっている。拡大部２２および２３は凹面の湾曲に形成させることもできる。これを図９に示し、ねじ山３の両側のねじ根元部に凹面の湾曲する拡大部２４および２５を有しているねじ山３を持つねじが示されている。
図１０は非対称の外側面角度αを持つ図４によるねじと類似の形状を示し、面の根元部にそれぞれ直線状の拡大部２２および２３を備えている。
既に前に述べたように、外側面角度および内側面角度範囲を非対称とすることができ、その場合も必要に応じてねじ山根元に拡大部を設けることができる。
本発明によるねじは、約３０度の面角度の許容差内で特に尖ったねじ山として約２５度の面角度を選ぶと軟らかい樹脂に特に適している。
【図面の簡単な説明】
【図１】はねじの断面である。
図２−１０は特別に形成したねじ山の拡大断面であって
【図２】は１つのねじ山の両面に屈曲を有する樹脂に食込んだねじ山である。
【図３】は屈曲が片面だけにあるねじ山である。
【図４】は屈曲が片面だけにあり非対称な外側面角度を持つねじ山である。
【図５】は図４による形状を変化させたもので非対称に形成された内側面角度を持つねじ山である。
【図６】は内側面角度の部分に軸方向断面が凹面に湾曲した対称な面を持つねじ山である。
【図７】は内側面角度の部分が非対称の面を持つねじ山である。
【図８】はねじ山根元部に面角度の拡大による拡大部を持つ本発明の実施例のねじ山である。
【図９】は図８の変形で凹面の拡大部を持つ本発明の実施例のねじ山である。
【図１０】は非対称の外側面角度と関連してねじ山根元の部分の面に拡大部を持つねじ山である。
【図１】
0003934165.tif 000002
【図２】
0003934165.tif 000003
【図３】
0003934165.tif 000004
【図４】
0003934165.tif 000005
【図５】
0003934165.tif 000006
【図６】
0003934165.tif 000007
【図７】
0003934165.tif 000008
【図８】
0003934165.tif 000009
【図９】
0003934165.tif 000010
【図１０】
0003934165.tif 000011